(57)【要約】【課題】ＬＥＤの輝度や発光色のばらつきがあっても、色ばらつきの少ないＬＥＤ照明装置を安価に提供する。【解決手段】電源装置１と、コントローラ２と、ＬＥＤ点灯装置３と、複数の発光色を持つＬＥＤを内蔵したＬＥＤユニット４とから構成され、コントローラ２からの調光信号により、前記ＬＥＤの光を任意の割合で混色し、任意の混色比に設定できるよう構成されたＬＥＤ照明装置において、予め基準として設定されたコントローラ２の信号値に対して、ＬＥＤユニット４の発光色が所望の色になるようなＬＥＤユニット固有の係数を設定し、ＬＥＤ点灯装置３がそれぞれの発光色を持ったＬＥＤに対して前記固有の係数を用いた計算式から算出される値を用いて、発光量を調節するように構成されている。【選択図】図１
2010009790.tif 000002
【特許請求の範囲】
【請求項１】
電源装置と、コントローラと、ＬＥＤ点灯装置と、複数の発光色を持つＬＥＤを内蔵したＬＥＤユニットとから構成され、コントローラからの調光信号により、前記ＬＥＤの光を任意の割合で混色し、任意の混色比に設定できるよう構成されたＬＥＤ照明装置において、
予め基準として設定されたコントローラの信号値に対して、ＬＥＤユニットの発光色が所望の色になるようなＬＥＤユニット固有の係数を設定し、ＬＥＤ点灯装置がそれぞれの発光色を持ったＬＥＤに対して前記固有の係数を用いた計算式から算出される値を用いて、発光量を調節するように構成されていることを特徴とするＬＥＤ照明装置。
【請求項２】
請求項１において、コントローラからの調光信号にＬＥＤユニット固有の係数を掛けた値を用いて、発光量を調節するように構成されていることを特徴とするＬＥＤ照明装置。
【請求項３】
請求項１において、ＬＥＤユニットは第１の発光色を持つ第１のＬＥＤと、第２の発光色を持つ第２のＬＥＤを少なくとも備えており、コントローラから第１のＬＥＤに対する調光信号を第１の調光信号、コントローラから第２のＬＥＤに対する調光信号を第２の調光信号とすると、
第１の調光信号および第２の調光信号が共に、予め基準として設定されたレベルの調光信号である場合には、ＬＥＤユニット固有の係数と第１の調光信号を掛けた値を用いて第１のＬＥＤの発光量を調節し、ＬＥＤユニット固有の係数と第２の調光信号を掛けた値を用いて第２のＬＥＤの発光量を調節し、
第１の調光信号または第２の調光信号の少なくとも一方が、予め基準値として設定されたレべルより小さい調光信号である場合には、
第１のＬＥＤの発光量は、第２の調光信号が予め基準として設定されたレべルより小さくなるにつれて、ＬＥＤユニット固有の係数と第１の調光信号を掛けた値で示される発光量よりも多くなるように調節し、
第２のＬＥＤの発光量は、第１の調光信号が予め基準として設定されたレべルより小さくなるにつれて、ＬＥＤユニット固有の係数と第２の調光信号を掛けた値で示される発光量よりも多くなるように調節するように構成されていることを特徴とするＬＥＤ照明装置。
【請求項４】
請求項１において、ＬＥＤユニットは第１の発光色を持つ第１のＬＥＤと、第２の発光色を持つ第２のＬＥＤと、第３の発光色を持つ第３のＬＥＤから構成されており、コン卜ローラから第１のＬＥＤに対する調光信号を第１の調光信号、コントローラから第２のＬＥＤに対する調光信号を第２の調光信号、コントローラから第３のＬＥＤに対する調光信号を第３の調光信号とすると、
第１の調光信号、第２の調光信号および第３の調光信号が全て、予め基準として設定されたレベルの調光信号である場合には、ＬＥＤユニット固有の係数と第１の調光信号を掛けた値を用いて第１のＬＥＤの発光量を調節し、ＬＥＤユニット固有の係数と第２の調光信号を掛けた値を用いて第２のＬＥＤの発光量を調節し、ＬＥＤユニット固有の係数と第３の調光信号を掛けた値を用いて第３のＬＥＤの発光量を調節し、
第１の調光信号、第２の調光信号、第３の調光信号のうち少なくとも１つが、予め基準値として設定されたレベルより小さい調光信号である場合には、
第１のＬＥＤの発光量は、第２の調光信号または第３の調光信号が予め基準として設定されたレべルより小さくなるにつれて、ＬＥＤユニット固有の係数と第１の調光信号を掛けた値で示される発光量よりも多くなるように調節し、
第２のＬＥＤの発光量は、第１の調光信号または第３の調光信号が予め基準として設定されたレべルより小さくなるにつれて、ＬＥＤユニット固有の係数と第２の調光信号を掛けた値で示される発光量よりも多くなるように調節し、
第３のＬＥＤの発光量は、第１の調光信号または第２の調光信号が予め基準として設定されたレべルより小さくなるにつれて、ＬＥＤユニット固有の係数と第３の調光信号を掛けた値で示される発光量よりも多くなるように調節するように構成されていることを特徴とするＬＥＤ照明装置。
【請求項５】
請求項４において、第１の調光信号、第２の調光信号、第３の調光信号のうち少なくとも１つが、予め基準値として設定されたレベルより小さい調光信号である場合には、
第１のＬＥＤの発光量は、第２の調光信号と第３の調光信号のうち大きい方の調光信号のレベルが予め基準として設定されたレべルより小さくなるにつれて、ＬＥＤユニット固有の係数と第１の調光信号を掛けた値で示される発光量よりも多くなるように調節し、
第２のＬＥＤの発光量は、第１の調光信号と第３の調光信号のうち大きい方の調光信号のレベルが予め基準として設定されたレべルより小さくなるにつれて、ＬＥＤユニット固有の係数と第２の調光信号を掛けた値で示される発光量よりも多くなるように調節し、
第３のＬＥＤの発光量は、第１の調光信号と第２の調光信号のうち大きい方の調光信号のレベルが予め基準として設定されたレべルより小さくなるにつれて、ＬＥＤユニット固有の係数と第３の調光信号を掛けた値で示される発光量よりも多くなるように調節するように構成されていることを特徴とするＬＥＤ照明装置。
【請求項６】
請求項４において、第１の調光信号、第２の調光信号、第３の調光信号のうち少なくとも１つが、予め基準値として設定されたレベルより小さい調光信号である場合には、
第１のＬＥＤの発光量は、第２の調光信号の減光量と第３の調光信号の減光量の積が大きくなるにつれて、ＬＥＤユニット固有の係数と第１の調光信号を掛けた値で示される発光量よりも多くなるように調節し、
第２のＬＥＤの発光量は、第１の調光信号の減光量と第３の調光信号の減光量の積が大きくなるにつれて、ＬＥＤユニット固有の係数と第２の調光信号を掛けた値で示される発光量よりも多くなるように調節し、
第３のＬＥＤの発光量は、第１の調光信号の減光量と第２の調光信号の減光量の積が大きくなるにつれて、ＬＥＤユニット固有の係数と第３の調光信号を掛けた値で示される発光量よりも多くなるように調節するように構成されていることを特徴とするＬＥＤ照明装置。
【請求項７】
請求項１〜６のいずれかにおいて、複数の発光色を持つＬＥＤを内蔵したＬＥＤユニットは、発光色が所望の色になるように、各ＬＥＤの発光量を個別に調節する機構部を有することを特徴とするＬＥＤ照明装置。
【発明の詳細な説明】
【技術分野】
【０００１】
本発明は、光色の異なる複数のＬＥＤを光源とし、各々のＬＥＤを調光することで光色を変化させる機能を持つＬＥＤ照明装置に関するものである。
【背景技術】
【０００２】
従来のＬＥＤ照明装置として、特許文献１（特開２００１−９３３０５号公報）に示されているものである。これは、複数のＬＥＤ光源と、各ＬＥＤ光源からの光が導入される複数の導光体と、前記各ＬＥＤ光源を制御する制御装置とからなり、各ＬＥＤ光源の点灯状態を制御装置により個別に制御することにより任意の色の光を放出する、というものであった。
【特許文献１】特開２００１−９３３０５号公報
【発明の開示】
【発明が解決しようとする課題】
【０００３】
しかし、従来のＬＥＤ照明装置では、ＬＥＤの輝度のばらつきや、ＬＥＤ自体の発光色のばらつきにより、複数のＬＥＤ照明装置を同じ点灯状態で点灯した場合でも、同じ色にならないという問題があった。
【０００４】
本発明の目的は、ＬＥＤの輝度のばらつきや、ＬＥＤ自体の発光色のばらつきがあっても、色ばらつきの少ないＬＥＤ照明装置を安価に提供することにある。
【課題を解決するための手段】
【０００５】
本発明のＬＥＤ照明装置は、上記の課題を解決するために、図１に示すように、電源装置１と、コントローラ２と、ＬＥＤ点灯装置３と、複数の発光色を持つＬＥＤを内蔵したＬＥＤユニット４とから構成され、コントローラ２からの調光信号により、前記ＬＥＤの光を任意の割合で混色し、任意の混色比に設定できるよう構成されたＬＥＤ照明装置において、予め基準として設定されたコントローラ２の信号値に対して、ＬＥＤユニット４の発光色が所望の色になるようなＬＥＤユニット固有の係数を設定し、ＬＥＤ点灯装置３がそれぞれの発光色を持ったＬＥＤに対して前記固有の係数を用いた計算式から算出される値を用いて、発光量を調節するように構成されていることを特徴とするものである。
【発明の効果】
【０００６】
本発明によると、予め基準として設定されたコントローラの信号値に対して、ＬＥＤユニットの発光色が所望の色になるような、ＬＥＤユニット固有の係数を設定し、ＬＥＤ点灯装置がそれぞれの発光色を持ったＬＥＤに対して前記固有の係数から算出される値を用いて、発光量を調節するように構成したことにより、ＬＥＤの輝度のばらつきや、ＬＥＤ自体の発光色のばらつきがあっても、各装置間の色ばらつきの少ないＬＥＤ照明装置を提供することが可能となった。
【発明を実施するための最良の形態】
【０００７】
（実施形態１）
本発明の実施形態１を図１に示す。本実施形態のＬＥＤ照明装置は、電源装置１と、コントローラ２と、ＬＥＤ点灯装置３と、ＬＥＤユニット４とから構成される。ＬＥＤユニット４は、赤色（Ｒ）、緑色（Ｇ）、青色（Ｂ）の発光色を持ったＬＥＤで構成されており、Ｒ、Ｇ、ＢそれぞれのＬＥＤの発光強度を適当に変化させることにより種々の色で発光することが出来るものである。
【０００８】
電源装置１は、ＬＥＤ点灯装置３を動かすための電源で、例えばＤＣ３０Ｖなどで供給される。コントローラ２は、３つのスライド式のフェードボリュームから構成され、それぞれ赤色（Ｒ）、緑色（Ｇ）、青色（Ｂ）のラべルが付けられている。コントローラ２の出力はＬＥＤ点灯装置３に接続されており、各フェードボリュームの位置情報を、ＬＥＤ点灯装置３に伝達するよう構成されている。各フェードボリュームの位置情報は、ここでは、ｆＲ，ｆＧ，ｆＢで表し、その取り得る値の最小値を０とし、最大値を１とする。ＬＥＤ点灯装置３は、コントローラ２からのフェードボリュームの位置情報により、ＬＥＤユニット４の点灯状態を変化させる。ＬＥＤ点灯装置３によって制御するＬＥＤの輝度については、φＲ，φＧ，φＢで表し、その取り得る値の最小値を０とし、最大値を１とする。
【０００９】
今、あるＬＥＤユニット４について、ＬＥＤ点灯装置３を調節し、白色（例えば色度座標Ｘ＝０．２８１、Ｙ＝０．２８７）でかつ、最大の発光強度を得たときの輝度φＲ，φＧ，φＢをそれぞれ、φＲ０，φＧ０，φＢ０とする。
【００１０】
このとき、次のような係数ｋＲ，ｋＧ，ｋＢを考える。
ｋＲ＝φＲ０
ｋＧ＝φＧ０
ｋＢ＝φＢ０
【００１１】
そして、ＬＥＤ点灯装置３の制御を次の式に従って行うように構成する。
φＲ＝ｋＲ×ｆＲ
φＧ＝ｋＧ×ｆＧ
φＢ＝ｋＢ×ｆＢ
【００１２】
上記のように点灯制御することにより、ｆＲ＝ｆＧ＝ｆＢ＝１の時には、必ず白色が再現できることとなる。別のＬＥＤユニット４についても同様に別のｋＲ，ｋＧ，ｋＢ（ＬＥＤユニット固有の係数）を求めることにより、同じ白色で点灯することが可能となる。
【００１３】
【表１】
2010009790.tif 000003
【００１４】
【表２】
2010009790.tif 000004
【００１５】
各ＬＥＤのばらつきが、表１の値の場合において、フェードボリュームを操作した際の合成光束および合成色度を計算したグラフを図２、図３に示す。また、各ＬＥＤのばらつきが、表２の値の場合において、フェードボリュームを操作した際の合成光束および合成色度を計算したグラフを図４、図５に示す。図２〜図５において、フェードボリュームの値は、いずれもｆＲ＝１．００、ｆＧ＝１．００、ｆＢ＝１．００からｆＲ＝０．００、ｆＧ＝０．００、ｆＢ＝１．００へのリニアな変化を想定している。
【００１６】
図３及び図５を比較すると、フェード後の単色の色度座標は、ＬＥＤ単体のばらつきにより、色の違いが見られるが、フェード開始時の色度座標はＸ＝０．２８１、Ｙ＝０．２８７となっており、色の違いがなくなっていることがわかる。
【００１７】
本実施形態によると、コントローラ２のフェードボリュームの指示値ｆＲ，ｆＧ，ｆＢに対して、ＬＥＤユニット４に固有の、予め設定された定数ｋＲ，ｋＧ，ｋＢを掛けた値を各ＬＥＤの点灯制御値φＲ，φＧ，φＢとするように構成したため、ＬＥＤユニット４のばらつきによらず、照明装置間の色ばらつきを少なくした安価なＬＥＤ照明装置を提供することが可能となった。
【００１８】
なお、本構成において、電源装置１の出力電圧はＤＣ３０Ｖとしたが、ＤＣの他の電圧でも良いし、ＡＣ電圧でも良い。コントローラ２からＬＥＤ点灯装置３へ情報を伝達する手段としては、デジタル信号（ＤＭＸ信号、ＰＮＭ信号など）であっても良いし、アナログ信号（ＤＣ電圧、ＰＷＭ信号など）であっても良い。ＬＥＤ点灯装置３の点灯制御手段は、ＬＥＤ負荷に流れる電流を変化させても良いし、パルス状の負荷電流のデューティ（Ｄｕｔｙ）を変化させて制御しても良い。また、本発明の技術思想は、光色の異なる光源であれば適宜応用でき、有機ＥＬや、レーザー光、フィルターを通した白熱灯などでも光源のばらつきに対して、同様の効果を得ることが出来る。以下の各実施形態においても同様である。
【００１９】
（実施形態２）
本発明の実施形態２の構成は、実施形態１と同じ図１の構成となっている。ただし、ＬＥＤ点灯装置３の点灯制御を次の式に基づいて制御するものとする。
φＲ＝ｆＲ×（ｋＲ＋（１−ｍａｘ（ｆＧ，ｆＢ））×（１−ｋＲ））
φＧ＝ｆＧ×（ｋＧ＋（１−ｍａｘ（ｆＢ，ｆＲ））×（１−ｋＧ））
φＢ＝ｆＢ×（ｋＢ＋（１−ｍａｘ（ｆＲ，ｆＧ））×（１−ｋＢ））
ここで、ｍａｘ（ａ，ｂ）はａとｂのどちらか大きい方の値を示す関数である。
【００２０】
本制御方式を適用した場合に、各ＬＥＤのばらつきが、表１の値の場合において、フェードボリュームを操作した際の合成光束および合成色度を計算したグラフを図６、図７に示す。図６、図７において、フェードボリュームの値は、ｆＲ＝１．００、ｆＧ＝１．００、ｆＢ＝１．００からｆＲ＝０．００、ｆＧ＝０．００、ｆＢ＝１．００へのリニアな変化を想定している。
【００２１】
図６と図２を比較してみると、フェード時間が１００％になった際の光束に違いがあることが分かる。本実施形態の図６の方が光束が高くなっており、ＬＥＤの性能を十分に発揮できるようになっていることが分かる。また、図３と図７との比較により、再現できる色度範囲には違いが無いことも確認できる。
【００２２】
また、ＬＥＤのばらつきが、表１の値の場合において、フェードボリュームの操作が異なるパターンの合成光束および合成色度を計算したグラフを図８、図９に示す。図８、図９において、フェードボリュームの値は、ｆＲ＝１．００、ｆＧ＝０．５０、ｆＢ＝１．００からｆＲ＝０．００、ｆＧ＝０．５０、ｆＢ＝１．００へのリニアな変化を想定している。
【００２３】
本実施形態によると、コントローラのフェードボリュームの指示値に対して、ＬＥＤユニットに固有の、予め設定された定数を掛けた値を用いて、前記計算式により出力すべき光束の量を計算し、ＬＥＤの点灯制御値とするように構成したため、ＬＥＤユニットのばらつきによらず、装置間の色ばらつきを少なくした、安価なＬＥＤ照明装置を提供することが可能となった。また、本実施形態では、フェードボリュームを単色に設定した場合は、フェードボリュームの指示値に掛ける係数が１になり、ＬＥＤがばらついても、単色での光束が低下しない構成となっている。
【００２４】
（実施形態３）
本発明の実施形態３の構成は、実施形態１と同じ図１の構成となっている。ただし、ＬＥＤ点灯装置３の点灯制御を次の式に基づいて制御するものとする。
φＲ＝ｆＲ×（ｋＲ＋（１−ｆＧ）×（１−ｆＢ）×（１−ｋＲ））
φＧ＝ｆＧ×（ｋＧ＋（１−ｆＢ）×（１−ｆＲ）×（１−ｋＧ））
φＢ＝ｆＢ×（ｋＢ＋（１−ｆＲ）×（１−ｆＧ）×（１−ｋＢ））
【００２５】
本制御方式を適用した場合に、各ＬＥＤのばらつきが、表１の値の場合において、フェードボリュームを操作した際の合成光束および合成色度を計算したグラフを図１０、図１１に示す。図１０、図１１において、フェードボリュームの値は、ｆＲ＝１．００、ｆＧ＝１．００、ｆＢ＝１．００からｆＲ＝０．００、ｆＧ＝０．００、ｆＢ＝１．００へのリニアな変化を想定している。
【００２６】
図１０と図２を比較してみると、フェード時間が１００％になった際の光束に違いがあることが分かる。本実施形態の図１０の方が、光束が高くなっており、ＬＥＤの性能を十分に発揮できるようになっていることが分かる。また、図３と図１１との比較により、再現できる色度範囲には違いが無いことも確認できる。
【００２７】
また、ＬＥＤのばらつきが、表１の値の場合において、フェードボリュームの操作が異なるパターンの合成光束および合成色度を計算したグラフを図１２、図１３に示す。図１２、図１３において、フェードボリュームの値は、ｆＲ＝１．００、ｆＧ＝０．５０、ｆＢ＝１．００からｆＲ＝０．００、ｆＧ＝０．５０、ｆＢ＝１．００へのリニアな変化を想定している。
【００２８】
図８と図１２および、図９と図１３を比較してみると、図８、図９は、フェード期間中に折れ点が発生しているが、図１２、図１３には、折れ点が発生していない。従って、実施形態２に比べて、フェードボリュームを調整した場合に、直感的に操作しやすく、色合わせがしやすいという利点がある。
【００２９】
本実施形態によると、コントローラのフェードボリュームの指示値に対して、ＬＥＤ負荷に固有の、予め設定された定数を掛けた値を用いて、前記計算式により出力すべき光束の量を計算し、ＬＥＤの点灯制御値とするように構成したため、ＬＥＤ負荷のばらつきによらず、照明装置間の色ばらつきを少なくした、安価なＬＥＤ照明装置を提供することが可能となった。本実施形態では、フェードボリュームを単色に設定した場合は、フェードボリュームの指示値に掛ける係数が１になり、ＬＥＤがばらついても、単色での光束が低下しない構成となっている。また、フェードボリューム操作中に特性の変化点がなく、直線的に変化するため、直感的に操作できるものとなっている。
【００３０】
なお、本実施形態のグラフでは簡単のため、フェードボリュームの操作とフェード時間の関係を比例関係として表記しているが、より一般的には、光の見え方をスムーズにするために直線ではなく時間に対して特定の関数（マンセルカーブ、２．３乗カーブなど）を用いるが、フェードボリュームと時間の関係をどのような関係にしても、本発明の考え方には関係なく、同様の効果が得られるし、実際のフェードボリュームの操作量とここで言うフェードボリュームの値の間に比例関係がなくても同様の効果が得られる。
【００３１】
また、３ｉｎ１と呼ばれる、ＲＧＢ３色のＬＥＤが単体のパッケージに実装されたＬＥＤが存在するが、それらのＬＥＤの場合、単色で点灯した場合に流すことのできる電流値と、ＲＧＢ３色同時に点灯した場合に流すことのできる電流値が異なる。その場合は、上述の各実施形態の計算式により得られたＬＥＤの輝度値φＲ，φＧ，φＢを用いて、次の式に従って、ＬＥＤの電流値を調節すれば、光束、色度ともに自然な調光となる。
【００３２】
ＩＲ＝ＩＲ０×Ａ×φＲ／（φＲ＋φＧ＋φＢ）
ＩＧ＝ＩＧ０×Ａ×φＧ／（φＲ＋φＧ＋φＢ）
ＩＢ＝ＩＢ０×Ａ×φＢ／（φＲ＋φＧ＋φＢ）
Ａ＝１−（１−φＲ）×（１−φＧ）×（１−φＢ）
【００３３】
上式において、ＩＲ０、ＩＧ０、ＩＢ０はそれぞれφＲ，φＧ，φＢを出力するためにＲ，Ｇ，Ｂの各ＬＥＤに流す電流であり、ＩＲ，ＩＧ，ＩＧは３ｉｎ１ＬＥＤのために調節された電流値である。
【００３４】
なお、本発明は、上述の実施形態１〜３から類推できる４種類以上の発光色を持ったＬＥＤユニットから構成されたＬＥＤ照明装置にも適用できることは言うまでも無い。
【００３５】
（実施形態４）
図１４〜図１８は本発明の実施形態４のＬＥＤ照明装置の概略構成を示す。本実施形態では、複数のＬＥＤ照明装置を制御した場合に、ＬＥＤ照明装置間の色のばらつきの少ない制御を可能とするために、機構的な動作により、各ＬＥＤ照明装置の微妙な色合わせが出来るようにしたものである。
【００３６】
実施形態１〜３では、ＲＧＢのＬＥＤのそれぞれの電流値を可変して光色を調整していたが、ＬＥＤが固定された同一の位置関係の場合、混色した光色、例えば均一な白色を出す場合などに、色の混じりが汚くなる場合があったが、図１４〜図１８に示すように、構造的に可変させることで、色の混じりを多様に調整することが出来、均一な混色を出すことが可能となる。
【００３７】
図１４〜図１８に示した構造は例示であり、これらに限定するものではない。色補正は自動で調整することが望ましいが、手動で調整する手段としても構わない。
【００３８】
また、本実施形態では、機構的な動作により、ＲＧＢ個々の光出力を可変させているが、これと同時に、実施形態１〜３のように、個々のＬＥＤ電流値も可変させて、電流値と構造的な可変手段とで両方から最適な光色を設定しても良い。
以下、各ＬＥＤ照明装置に搭載される機構的な色補正手段の具体例を説明する。
【００３９】
（実施形態４−１）
図１４の例では、ＲＧＢのＬＥＤをユニットとして１つの構造体に収納したときに、各ＬＥＤの高さを個別に可変させることにより出力光の合成色を調整する手段を備えていることを特徴とする。
【００４０】
図１４に示すように、ＲＧＢのＬＥＤ４ａ，４ｂ，４ｃがそれぞれ個別の基板５ａ，５ｂ，５ｃに実装され、その基板５ａ，５ｂ，５ｃが長方形のＬＥＤユニット４に内蔵され、それぞれ矢印に示すように上下に独立して可動する機構を有している。これにより各ＬＥＤ４ａ，４ｂ，４ｃのレンズ６に対する相対距離が可変となることで、光の透過率を可変とすることができる。各ＬＥＤ４ａ，４ｂ，４ｃには所定の電流値が流れ、それぞれＲＧＢのＬＥＤの色ばらつきなどにより合成された光色が所定の光色と異なった場合、その合成されたＬＥＤユニット４としての光出力（例えば、白色）の光色を検出して、ＲＧＢのＬＥＤ４ａ，４ｂ，４ｃの個々の高さを所定の光色が出るように自動で又は手動で調整するものである。
【００４１】
（実施形態４−２）
図１５の例では、ＲＧＢのＬＥＤ個々に設けられたレンズ部の高さを個別に可変させることにより出力光の合成色を調整する手段を備えていることを特徴とする。
【００４２】
図１５に示すように、ＲＧＢのＬＥＤ４ａ，４ｂ，４ｃが一枚の長方形のＬＥＤ基板５に実装され、ＲＧＢのＬＥＤ４ａ，４，ｂ，４ｃにはそれぞれ所定の電流値を流すように設定されている。ＲＧＢのＬＥＤ４ａ，４ｂ，４ｃの上部にはそれぞれ独立したレンズ部（パネル部）７ａ，７ｂ，７ｃが設けられ、その高さをそれぞれ矢印に示すように上下に独立して可動する機構を有している。ＲＧＢのＬＥＤ４ａ，４ｂ，４ｃの色ばらつきなどにより合成された光色が所定の光色と異なった場合、その光色を検出して所定光色（例えば、白色）と比較して、それぞれのレンズ部（パネル部）７ａ，７ｂ，７ｃの高さを調整して、その透過率を可変させることで、ＲＧＢのＬＥＤ４ａ，４ｂ，４ｃの色ばらつきを調整し、所定の光色となるように調整するものである。
【００４３】
（実施形態４−３）
図１６の例では、ＲＧＢのＬＥＤが搭載された丸型のＬＥＤユニットの上部に、厚さが均一でないレンズ部を設け、そのレンズ部を回転させることで、各ＬＥＤからの光の透過率を可変させることを特徴とする。
【００４４】
図１６（ａ）に示すように、丸型の基板８にＲＧＢのＬＥＤを実装し、ＲＧＢのＬＥＤにはそれぞれ所定の電流値を流すように設定され、その上部に一枚のレンズ部９が設けられている。そのレンズ部９の厚さは均一でなく、ＲＧＢのＬＥＤの上部のレンズ厚さがそれぞれ異なるように設定され、そのレンズ部９が回転出来るように構成されている。図中、Ｒは赤色ＬＥＤ、Ｇは緑色ＬＥＤ、Ｂは青色ＬＥＤであり、１０はレンズ枠部である。
【００４５】
ＲＧＢのＬＥＤの色ばらつきなどにより合成された光色が所定の光色と異なった場合、前記レンズ部９を回転させて、ＲＧＢのＬＥＤのそれぞれの光の透過率を可変させることで、合成された光が所定の光色となるように調整するものである。
【００４６】
図１６（ｂ），（ｃ）にはレンズ部９を１８０度回転させたときにＲＧＢのＬＥＤの上部のレンズ厚さがそれぞれ変わることをイメージとして図示している。
【００４７】
（実施形態４−４）
図１７の例では、発光量を調整する手段として、ＲＧＢのＬＥＤそれぞれを間仕切りのある部屋に格納し、その上部に設けられた開口窓１１ａ，１１ｂ，１１ｃの開口量を可変させる手段を備えていることを特徴とする。図中、Ｒは赤色ＬＥＤ、Ｇは緑色ＬＥＤ、Ｂは青色ＬＥＤである。
【００４８】
図１７に示すように、ＲＧＢのＬＥＤを長方形の基板５に実装し、ＲＧＢのＬＥＤをそれぞれ個別に窓を持った部屋に収納できる構造体とし、その開口窓１１ａ，１１ｂ，１１ｃの面積を可変して、それぞれＲＧＢのＬＥＤの光出力を可変して光色を調整する。上述の実施形態と同じく、ＲＧＢのＬＥＤの色ばらつきなどにより合成された光色が所定の光色と異なった場合、開口窓１１ａ，１１ｂ，１１ｃの開口面積を可変させてＲＧＢのＬＥＤの光を調整して所定の光色に合うように調整するものである。
【００４９】
（実施形態４−５）
図１８の例では、発光量を調整する手段として、ＲＧＢのＬＥＤの上部に設けられた、レンズ部を導光板１２により構成し、導光板１２の光源に第２のＲＧＢ光源１３を用いて導光板１２の色を可変させることを特徴とする。
【００５０】
図１８に示すように、ＲＧＢのＬＥＤ４ａ，４ｂ，４ｃを一枚の基板５に実装し、その上部に導光板１２を配置し、その導光板１２に別の第２のＲＧＢ光源１３を付設して導光板１２の色を変化させる構造としている。第２のＲＧＢ光源１３とは、例えばＲＧＢ電球である。本例においても、上述の各実施形態と同じく、ＲＧＢのＬＥＤの色ばらつきなどにより合成された光色が所定の光色と異なった場合、第２のＲＧＢ光源１３の光色を可変させて、導光板１２からの光色を変化させて所定の光色になるように調整するものである。
【図面の簡単な説明】
【００５１】
【図１】本発明の実施形態１の構成を示すブロック図である。
【図２】本発明の実施形態１の合成光束を示す説明図である。
【図３】本発明の実施形態１の合成色度を示す説明図である。
【図４】本発明の実施形態１の合成光束を示す説明図である。
【図５】本発明の実施形態１の合成色度を示す説明図である。
【図６】本発明の実施形態２の合成光束を示す説明図である。
【図７】本発明の実施形態２の合成色度を示す説明図である。
【図８】本発明の実施形態２の合成光束を示す説明図である。
【図９】本発明の実施形態２の合成色度を示す説明図である。
【図１０】本発明の実施形態３の合成光束を示す説明図である。
【図１１】本発明の実施形態３の合成色度を示す説明図である。
【図１２】本発明の実施形態３の合成光束を示す説明図である。
【図１３】本発明の実施形態３の合成色度を示す説明図である。
【図１４】本発明の実施形態４のＬＥＤ照明装置の第１の構造例を示す断面図である。
【図１５】本発明の実施形態４のＬＥＤ照明装置の第２の構造例を示す断面図である。
【図１６】本発明の実施形態４のＬＥＤ照明装置の第３の構造例を示す図であり、（ａ）は上面図、（ｂ），（ｃ）は断面図である。
【図１７】本発明の実施形態４のＬＥＤ照明装置の第４の構造例を示す図であり、（ａ）は上面図、（ｂ）は断面図である。
【図１８】本発明の実施形態４のＬＥＤ照明装置の第５の構造例を示す断面図である。
【符号の説明】
【００５２】
１  電源装置
２  コントローラ
３  ＬＥＤ点灯装置
４  ＬＥＤユニット
【図１】
2010009790.tif 000005
【図２】
2010009790.tif 000006
【図３】
2010009790.tif 000007
【図４】
2010009790.tif 000008
【図５】
2010009790.tif 000009
【図６】
2010009790.tif 000010
【図７】
2010009790.tif 000011
【図８】
2010009790.tif 000012
【図９】
2010009790.tif 000013
【図１０】
2010009790.tif 000014
【図１１】
2010009790.tif 000015
【図１２】
2010009790.tif 000016
【図１３】
2010009790.tif 000017
【図１４】
2010009790.tif 000018
【図１５】
2010009790.tif 000019
【図１６】
2010009790.tif 000020
【図１７】
2010009790.tif 000021
【図１８】
2010009790.tif 000022